(57)【要約】【課題】粒状感の改善及び高い階調性の実現を可能にし、かつ、保存安定性を確保するインクジェット記録用インクセット、および、それを用いたインクジェット記録装置の提供。【解決手段】少なくとも色材、水溶性有機溶剤、水を含有し、同一色相で色材濃度の異なる少なくとも２種類以上のインクを含むインクジェット記録用インクセットであり、該インクはｐＨ緩衝剤を含有し、かつ、各インクのｐＨ緩衝剤の含有量が、色材濃度の低いインクほど多くなっていることを特徴とするインクジェット用インクセット、および、それを用いたインクジェット記録装置。【選択図】        なし【特許請求の範囲】
【請求項１】
少なくとも色材、水溶性有機溶剤、水を含有し、同一色相で色材濃度の異なる少なくとも２種類のインクを含むインクジェット記録用インクセットであり、該インクはｐＨ緩衝剤を含有し、かつ、各インクのｐＨ緩衝剤の含有量が、色材濃度の低いインクほど多くなっていることを特徴とするインクジェット用インクセット。
【請求項２】
少なくとも色材、水溶性有機溶剤、水を含有し、同一色相で色材濃度の異なる少なくとも３種類以上のインクを含むインクジェット記録用インクセットであり、該インクのうち最も色材濃度の高いインクを除くインクがｐＨ緩衝剤を含有し、かつ、各インクのｐＨ緩衝剤の含有量が、色材濃度の低いインクほど多くなっていることを特徴とするインクジェット用インクセット。
【請求項３】
前記ｐＨ緩衝剤が、アンモニウム、有機アミン、アミノ酸のいずれかの塩であることを特徴とする請求項１、２のいずれかに記載のインクジェット用インクセット。
【請求項４】
前記ｐＨ緩衝剤が、アンモニウム塩であることを特徴とする請求項１、２のいずれかに記載のインクジェット用インクセット。
【請求項５】
前記ｐＨ緩衝剤が、ポリリン酸、ジカルボン酸、ポリアミノカルボン酸、アルドン酸、ヒドロキシカルボン酸のアンモニウム塩であることを特徴とする請求項１、２のいずれかに記載のインクジェット用インクセット。
【請求項６】
前記ｐＨ緩衝剤が、クエン酸アンモニウム、グルコン酸アンモニウムであることを特徴とする請求項１、２のいずれかに記載のインクジェット用インクセット。
【請求項７】
前記インクがｐＨを８．０〜１１．０に調整してあることを特徴とした請求項１〜６に記載のインクジェットプリンタ用インクセット。
【請求項８】
請求項１〜７に記載のサーマルインクジェットプリンタ用インクセット。
【請求項９】
インクを収容しているインク収容部、該インク収容部から導かれたインク流路内のインクに熱エネルギーを付与するヒーターを有するインクジェット記録ヘッド、及び記録情報に応じて該ヒーターにパルス状の電気信号を印加する手段を具備しているインクジェット記録装置であって、該ヒーターが金属及び／又は該金属の酸化物を含む最表面保護層を具備し、かつ該インクが請求項１〜８記載のインクジェット記録用インクセットであることを特徴とするインクジェット記録装置。
【発明の詳細な説明】
【０００１】
【発明の属する技術分野】
本発明は、インクジェット用インクインクセット、および、それを用いたインクジェット記録装置に関する。
【０００２】
【従来の技術】
インクジェット記録方法は、インクの小滴を飛翔させ、紙等の記録媒体にインクを付着させて記録を行うものである。特に、特公昭６１−５９９１１号公報、特公昭６１−５９９１２号公報、特公昭６１−５９９１４号公報において開示された方式、即ち、吐出エネルギー供給手段として電気熱変換体を用い、熱エネルギーをインクに与えて気泡を発生させることにより液滴を発生させる方式のインクジェット記録方法（サーマルインクジェット記録方法）によれば、記録へッドの高密度マルチオリフィス化を容易に実現することができ、高解像度及び高品位の画像を高速で記録することができる。
【０００３】
ところで、医療分野ではシャウカステンといわれるバックライトで画像を明るく照らし、透過画像により患部を診断するが、一般的なインクジェット印字物のように反射光で観察するものよりも画像のザラツキや粒状性、色調の階調性の不良などがより顕著に現れやすい。特に、医療用の診断画像や参照画像については、ハイライト部の高い階調性が要求される。このため、同一色相で色材濃度の異なる複数のインクを搭載し、従来の面積階調に加えて濃度階調を用いることが提案されている。色材濃度の水準を増やすほど、記録画像の低濃度領域から高濃度領域に移行する過程で画質が滑らかになり、低濃度領域のざらつきをなくすことができる。よって医療用診断画像に対しては、従来から用いられている濃淡インクに加え、さらに色材濃度を下げた極淡インクを使用し、色材濃度の水準を３種類以上とすることが有効である。
【０００４】
しかし、本発明者らがインクジェット方式による画像記録の検討を進めていく中で、色材濃度の低い淡インクや極淡インクは、濃インクに比べて、インクの保存安定性が低い場合があることが確認された。具体的には、淡インクや極淡インクのｐＨが、大きく低下してしまう場合がある。インクのｐＨが低下すると、印刷時の色味の変化、吐出性の悪化、ヘッド部材等の腐食といった問題が懸念される。淡インクや極淡インクのｐＨ変化が大きい原因は明らかではないが、以下のように筆者らは推測している。色材はｐＨの変化を抑える働きをしている。しかし、淡インクや極淡インクは、色材量が少ないためにｐＨ変化を抑える働きが少ない。その結果、ｐＨ変化が大きくなってしまうのである。
【０００５】
【発明が解決しようとする課題】
本発明の目的は、粒状感の改善及び高い階調性の実現を可能にし、かつ、保存安定性を確保するインクジェット記録用インクセット、および、それを用いたインクジェット記録装置を提供することにある。
【０００６】
【課題を解決するための手段】
本発明は、下記構成を備えることにより上記課題を解決できるものである。
【０００７】
（１）少なくとも色材、水溶性有機溶剤、水を含有し、同一色相で色材濃度の異なる少なくとも２種類のインクを含むインクジェット記録用インクセットであり、該インクはｐＨ緩衝剤を含有し、かつ、各インクのｐＨ緩衝剤の含有量が、色材濃度の低いインクほど多くなっていることを特徴とするインクジェット用インクセット
（２）少なくとも色材、水溶性有機溶剤、水を含有し、同一色相で色材濃度の異なる少なくとも３種類以上のインクを含むインクジェット記録用インクセットであり、該インクのうち最も色材濃度の高いインクを除くインクがｐＨ緩衝剤を含有し、かつ、各インクのｐＨ緩衝剤の含有量が、色材濃度の低いインクほど多くなっていることを特徴とするインクジェット用インクセット
（３）前記ｐＨ緩衝剤が、アンモニウム、有機アミン、アミノ酸のいずれかの塩であることを特徴とする（１）、（２）のいずれかに記載のインクジェット用インクセット
（４）前記ｐＨ緩衝剤が、アンモニウム塩であることを特徴とする（１）、（２）のいずれかに記載のインクジェット用インクセット
（５）前記ｐＨ緩衝剤が、ポリリン酸、ジカルボン酸、ポリアミノカルボン酸、アルドン酸、ヒドロキシカルボン酸のアンモニウム塩であることを特徴とする（１）、（２）のいずれかに記載のインクジェット用インクセット
（６）前記ｐＨ緩衝剤が、クエン酸アンモニウム、グルコン酸アンモニウムであることを特徴とする（１）、（２）のいずれかに記載のインクジェット用インクセット
（７）前記インクがｐＨを８．０〜１１．０に調整してあることを特徴とした（１）〜（６）に記載のインクジェットプリンタ用インクセット
（８）（１）〜（７）に記載のサーマルインクジェットプリンタ用インクセット
（９）インクを収容しているインク収容部、該インク収容部から導かれたインク流路内のインクに熱エネルギーを付与するヒーターを有するインクジェット記録ヘッド、及び記録情報に応じて該ヒーターにパルス状の電気信号を印加する手段を具備しているインクジェット記録装置であって、該ヒーターが金属及び／又は該金属の酸化物を含む最表面保護層を具備し、かつ該インクが（１）〜（８）記載のインクジェット記録用インクセットであることを特徴とするインクジェット記録装置
【０００８】
【発明の実施の形態】
次に、本発明の実施の形態について詳述する。
【０００９】
＜インクセット＞
本発明に用いられるインクセットは、高解像度、高階調性が要求される医療用の診断画像や参照画像を出力するために、同一色相で色材濃度の異なる３種類以上のインクを使用するインクジェット記録装置に、特に好適に用いることができる。
【００１０】
なお、本発明における「色相」とは赤、青、緑、黄、紫などの色を区別する言葉として用い、黒も便宜上含むものとする。また、「同一色相」とは、例えば黒であれば濃度は異なっていても黒色に分類できるものを指す。
【００１１】
＜インク＞
以下に、本発明に用いられるインクの成分について詳細に述べる。
【００１２】
本発明にかかる色材濃度の異なるインクは、少なくとも色材、水溶性有機溶剤、水、および、ｐＨ緩衝剤を含有する。
【００１３】
（ｐＨ緩衝剤）
本発明に用いられるｐＨ緩衝剤としては、アンモニウム、有機アミン、アミノ酸のいずれかの塩があげられる。
【００１４】
より具体的には、グリシン、アラニン、アスパラギン酸、グルタミン酸、フェニルアラニン、ロイシン、イソロイシン、リシン等のアミノ酸、トリエタノールアミン、ジエタノールアミン、モノエタノールアミン、ジイソプロパノールアミン、トリイソプロパノールアミン等の有機アミンの塩である。なかでも、アンモニウム塩は水に対する溶解性が高いためより好ましい。
【００１５】
アンモニウム塩としては、ポリリン酸、ジカルボン酸、ポリアミノカルボン酸、アルドン酸、ヒドロキシカルボン酸のアンモニウム塩、硫酸アンモニウム、硝酸アンモニウム、塩酸アンモニウム等があげられる。
【００１６】
なかでも、ピロリン酸、トリポリリン酸、ヘキサメタリン酸等のポリリン酸、シュウ酸、マロン酸、コハク酸、グルタル酸等のジカルボン酸、ジカルボン酸類、エチレンジアミン四酢酸、イミノ二酢酸、ニトリロトリ酢酸等のポリアミノカルボン酸、グリコール酸、グリセリン酸、グルコン酸、ガラクトン酸、グルコヘプトン酸等のアルドン酸、クエン酸、リンゴ酸、乳酸、グリコール酸、グリセリン酸、マンデル酸、酒石酸等のヒドロキシカルボン酸のアンモニウム塩は、こげを防止する効果もあり好ましく、なかでも、クエン酸アンモニウム、グルコン酸アンモニウムが、コゲ防止効果およびその高い溶解性のため、特に好ましい。
上記ｐＨ緩衝剤を、色材濃度の低いインクほど多く含有させることにより、保存によるｐＨ低下を効果的に抑えることができる。
【００１７】
また、ｐＨ緩衝剤としてクエン酸アンモニウム、グルコン酸アンモニウムを用いた場合には、ヒーター表面へのコゲが堆積しやすい淡インクや極淡インクのコゲも効果的に防止することもできる。
【００１８】
さらに、インクのｐＨを８．０〜１１．０に調整すると、より効果的にｐＨ低下を抑えることができる。ｐＨの調整には、例えば水酸化リチウム、水酸化ナトリウム、水酸化カリウム、アンモニア水（水酸化アンモニウム）が入手容易であり、用いるのに好ましい。
【００１９】
上記のようにすれば、それぞれの色材濃度のインクにおけるｐＨ低下の度合いに応じて、ｐＨ緩衝剤の含有量を適正な量とすることができ、インクの吐出安定性や保存安定性を損なうことなく、保存安定性を確保することが可能となる。
【００２０】
また、色材濃度の異なる複数のインクからなるインクセットにおいて、色材以外の成分の含有量が等しい場合、色材濃度が低いほど粘度も低くなり、各インク間の粘度差が大きくなってしまうことがあった。しかし、本発明にかかるインクセットにおいては、色材濃度の低いものほど、ｐＨ緩衝剤の含有量を多くするので、各インク間の粘度差を小さくすることができ、記録ヘッドとのマッチングが容易となり、各インクの吐出特性がほぼ等しいインクセットが得られるという利点も有する。
【００２１】
さらに、ｐＨ緩衝剤として上記のような電解質を選択すれば、淡インクや極淡インクの電気伝導度を上げることができ、インクの導電性を利用したインク残量検知を行う際にマージンが広くなるといった利点も有する。
【００２２】
（水溶性有機溶剤）
水性媒体の例としては例えば水、或いは水と水溶性有機溶剤との混合溶媒が挙げられる。水溶性有機溶剤としては、インクの乾燥防止効果を有するものが特に好ましい。
【００２３】
具体的には例えば、メチルアルコール、エチルアルコール、ｎープロピルアルコール、イソプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、ジアセトンアルコール等のケトンまたはケトアルコール類；テトラヒドロフラン、ジオキサン等のエーテル類；ポリエチレングリコール、ポリプロピレングリコール等のポリアルキレングリコール類；エチレングリコール、プロピレングリコール、ブチレングリコール、トリエチレングリコール、１，２，６−ヘキサントリオ−ル、チオジグリコール、ヘキシレングリコール、ジエチレングリコール等のアルキレン基が２〜６個の炭素原子を含むアルキレングリコール類；ポリエチレングリコールモノメチルエーテルアセテート等の低級アルキルエーテルアセテート；グリセリン；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；トリメチロールプロパン、トリメチロールエタン等の多価アルコール；Ｎ−メチル−２−ピロリドン、２−ピロリドン、１，３−ジメチル−２−イミダゾリジノン等が挙げられる。上記のごとき水溶性有機溶剤は、単独でもあるいは混合物としても使用することができる。水としては脱イオン水を使用することが望ましい。
【００２４】
本発明にかかるインク中に含有される水溶性有機溶剤の含有量は特に限定されないが、インク全重量に対して、好ましくは３〜５０重量％の範囲が好適である。又、インクに含有される水の含有量はインク全重量に対して好ましくは５０〜９５重量％の範囲である。
【００２５】
また、極淡インクよりも色材濃度の高いインクについては、ノズルの目詰まり防止や吐出信頼性を満足する範囲内で特に制限はなく、本発明の極淡インクの有機溶剤組成と同じであってもなくてもかまわない。
【００２６】
（添加剤）
また、インクの保湿性維持のために、尿素、尿素誘導体、トリメチロールプロパン等の保湿性固形分もインク成分として用いてもよい。これら保湿性固形分のインク中の含有量は一般にはインク全量に対して０．１〜２０．０重量％の範囲が好ましく、より好ましくは３．０〜１０．０重量％の範囲である。さらに本発明のインクは、優れたインクジェット吐出特性を有するようにインク所望の粘度、表面張力を有するように調製する事が好ましい。このために上記成分以外にも必要に応じて界面活性剤や防黴剤等、種々の添加剤を適宜添加することができる。
【００２７】
（色材）
本発明にかかるインクに用いることのできる色材としては、公知の染料や顔料を用いることができる。染料としては例えば酸性染料、直接染料等を用いることができる。たとえばアニオン性染料としては、既存のものでも、新規に合成したものでも適度な色調と濃度を有するものであれば、いかなるものも用いることができる。またこれらのうちいずれかを混合して用いることも可能である。
【００２８】
アニオン性染料の具体例を以下に挙げる。
【００２９】
（イエロー用の色材）
Ｃ．Ｉ．ダイレクトイエロー  ８、１１、１２、２７、２８、３３、３９、４４、５０、５８、８５、８６、８７、８８、８９、９８、１００、１１０、１３２
Ｃ．Ｉ．アシッドイエロー  １、３、７、１１、１７、２３、２５、２９、３６、３８、４０、４２、４４、７６、９８、９９
Ｃ．Ｉ．リィアクティブイエロー  ２、３、１７、２５、３７、４２
Ｃ．Ｉ．フードイエロー  ３
（レッド用の色材）
Ｃ．Ｉ．ダイレクトレッド  ２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０
Ｃ．Ｉ．アシッドレッド  ６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９
Ｃ．Ｉ．リィアクティブレッド  ７、１２、１３、１５、１７、２０、２３、２４、３１、４２、４５、４６、５９
Ｃ．Ｉ．フードレッド  ８７、９２、９４
（ブルー用の色材）
Ｃ．Ｉ．ダイレクトブルー  １、１５、２２、２５、４１、７６、７７、８０、８６、９０、９８、１０６、１０８、１２０、１５８、１６３、１６８、１９９、２２６
Ｃ．Ｉ．アシッドブルー  １、７、９、１５、２２、２３、２５、２９、４０、４３、５９、６２、７４、７８、８０、９０、１００、１０２、１０４、１１７、１２７、１３８、１５８、１６１
Ｃ．Ｉ．リィアクティブブルー  ４、５、７、１３、１４、１５、１８、１９、２１、２６、２７、２９、３２、３８、４０、４４、１００
（ブラック用色材）
Ｃ．Ｉ．ダイレクトブラック  １７、１９、２２、３１、３２、５１、６２、７１、７４、１１２、１１３、１５４、１６８、１９５
Ｃ．Ｉ．アシッドブラック  ２、４８、５１、５２、１１０、１１５、１５６
Ｃ．Ｉ．フードブラック  １、２
また、本発明で使用できる顔料の例としては、ブラックインクについてはカーボンブラックが好適に使用される。例えば、ファーネスブラック、ランプブラック、アセチレンブラック、チャンネルブラック等のカーボンブラック顔料で、例えば、レイヴァン（Ｒａｖｅｎ）７０００、レイヴァン５７５０、レイヴァン５２５０、レイヴァン５０００ＵＬＴＲＡ−、レイヴァン３５００、レイヴァン２０００、レイヴァン１５００、レイヴァン１２５０、レイヴァン１２００、レイヴァン１１９０ＵＬＴＲＡ−ＩＩ、レイヴァン１１７０、レイヴァン１２５５（以上コロンビア社製）、ブラックパールズ（Ｂｌａｃｋ  Ｐｅａｒｌｓ）Ｌ、リーガル（Ｒｅｇａｌ）４００Ｒ、リーガル３３０Ｒ、リーガル６６０Ｒ、モウグル（Ｍｏｇｕｌ）Ｌ、モナク（Ｍｏｎａｒｃｈ）７００、モナク８００、モナク８８０、モナク９００、モナク１０００、モナク１１００、モナク１３００、モナク１４００、ヴァルカン（Ｖａｌｃａｎ）ＸＣ−７２Ｒ（以上キャボット社製）、カラーブラック（Ｃｏｌｏｒ  Ｂｌａｃｋ）ＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０、カラーブラックＳ１７０、プリンテックス（Ｐｒｉｎｔｅｘ）３５、プリンテックスＵ、プリンテックスＶ、プリンテックス１４０Ｕ、プリンテックス１４０Ｖ、スペシャルブラック（Ｓｐｅｃｉａｌ  Ｂｌａｃｋ）６、スペシャルブラック５、スペシャルブラック４Ａ、スペシャルブラック４（以上デグッサ社製）、Ｎｏ．２５、Ｎｏ．３３、Ｎｏ．４０、Ｎｏ．４７、Ｎｏ．５２、Ｎｏ．９００、Ｎｏ．２３００、ＭＣＦ−８８、ＭＡ６００、ＭＡ７、ＭＡ８、ＭＡ１００（以上三菱化学社製）等の市販品や、別途新たに調製されたものも使用することができる。
【００３０】
カラーインクに用いる顔料としては、有機顔料が好ましく用いられる。具体的には、トルイジンレッド、トルイジンマルーン、ハンザエロー、ベンジジンエロー、ピラゾロンレッドなどの不溶性アゾ顔料、リトールレッド、ヘリオボルドー、ピグメントスカーレット、パーマネントレッド２Ｂなどの溶性アゾ顔料、アリザリン、インダントロン、チオインジゴマルーンなどの建染染料からの誘導体、フタロシアニンブルー、フタロシアニングリーンなどのフタロシアニン系顔料、キナクリドンレッド、キナクリドンマゼンタなどのキナクリドン系顔料、ペリレンレッド、ペリレンスカーレットなどのペリレン系顔料、イソインドリノンエロー、イソインドリノンオレンジなどのイソインドリノン系顔料、ベンズイミダゾロンエロー、ベンズイミダゾロンオレンジ、ベンズイミダゾロンレッド等のイミダゾロン系顔料、ピランスロンレッド、ピランスロンオレンジなどのピランスロン系顔料、チオインジゴ系顔料、縮合アゾ系顔料、チオインジゴ系顔料、ジケトピロロピロール系顔料、フラバンスロンエロー、アシルアミドエロー、キノフタロンエロー、ニッケルアゾエロー、銅アゾメチンエロー、ペリノンオレンジ、アンスロンオレンジ、ジアンスラキノニルレッド、ジオキサジンバイオレット等のその他の顔料が例示できる。
【００３１】
また、有機顔料を、カラーインデックス（Ｃ．Ｉ．）ナンバーにて示すと、Ｃ．Ｉ．ピグメントイエロー１２、１３、１４、１７、２０、２４、７４、８３、８６、９３、９７、１０９、１１０、１１７、１２０、１２５、１２８、１３７、１３８、１４７、１４８、１５０、１５１、１５３、１５４、１６６、１６８、１８０、１８５
Ｃ．Ｉ．ピグメントオレンジ１６、３６、４３、５１、５５、５９、６１、７１
Ｃ．Ｉ．ピグメントレッド９、４８、４９、５２、５３、５７、９７、１２２、１２３、１４９、１６８、１７５、１７６、１７７、１８０、１９２、２１５、２１６、２１７、２２０、２２３、２２４、２２６、２２７、２２８、２３８、２４０、２５４、２５５、２７２
Ｃ．Ｉ．ピグメントバイオレット１９、２３、２９、３０、３７、４０、５０
Ｃ．Ｉ．ピグメントブルー１５、１５：１、１５：３、１５：４、１５：６、２２、６０、６４
Ｃ．Ｉ．ピグメントグリーン７、３６
Ｃ．Ｉ．ピグメントブラウン２３、２５、２６等が例示できる。
【００３２】
本発明に用いることのできる顔料は自己分散性のものでもあるいは分散剤の吸着により分散するものでもどちらでも使用できる。
【００３３】
顔料の分散剤としては、水溶性樹脂ならどのようなものでも使用することができる。具体的には、スチレン、スチレン誘導体、ビニルナフタレン、ビニルナフタレン誘導体、α，β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド、およびその誘導体等から選ばれた少なくとも２つ以上の単量体（このうち少なくとも１つは親水性単量体）からなるブロック共重合体、あるいはランダム共重合体、グラフト共重合体、またはこれらの塩等が挙げられる。あるいは、ロジン、ジェラック、デンプン等の天然樹脂も好ましく使用することができる。これらの樹脂は、塩基を溶解させた水溶液に可溶であり、アルカリ可溶型樹脂である。
【００３４】
本発明にかかる、同一色相で色材濃度の異なる３種類以上のインクの色材濃度は以下の関係にあることが階調再現性の点で好ましい。
【００３５】
インクの種類がｎ種類（ｎ≧３）で、色材濃度の高いインクから順に色材濃度をＡ１、Ａ２、Ａ３、・・・Ａｎ−１、Ａｎとしたとき、Ａｎ／Ａｎ−１が０．１〜０．７、さらには０．２〜０．６の範囲である。
【００３６】
又、上記カラーインクをインクジェット記録方法（例えば、バブルジェット（登録商標）法等）で記録媒体に付着させる場合には、優れたインクジェット吐出特性を有するように、所望の粘度、表面張力を有するように調製してもかまわない。
【００３７】
（実施例）
以下、本発明を実施例により説明するが、本発明は、その要旨を超えない限り、下記実施例により限定されるものではない。
【００３８】
（インクセット）
以下の記載で、「部」「％」と有るものは特に断らない限り、質量基準である。
【００３９】
以下に示す成分を混合し、十分攪拌して溶解した後、ポアサイズ０．２μｍのミクロフィルター（富士フイルム製）にて加圧ろ過し、本実施例に用いるインクを調整した。
【００４０】
2004339335.tif 000002
2004339335.tif 000003
上記インクセットを用いて以下のような評価を行った。
【００４１】
「保存性」
それぞれのインクをテフロン（登録商標）ジャーにそれぞれ１００ｍｌ取り、それを６０℃の恒温槽に１ヶ月間保存した。
【００４２】
保存前後のｐＨ変化が、１．５以上のものを×、１．５以下のものを○とした。
【００４３】
「粒状感」
Ｃａｎｏｎ社製、Ｇｒａｐｈｉｃ  Ｃｏｌｏｒ  Ｐｒｉｎｔｅｒ  Ｗ２２００改造機で、ブラックインクをブラックインク位置、淡ブラックインクをフォトシアン位置に詰めて評価を行った。
【００４４】
淡インクの１０％  ｄｕｔｙのパッチをカラーＢＪ用高品位専用紙（ＨＲ−１０１Ｓ）に印刷し、明所３０ｃｍから目視で印字部を観察し、インクの液滴が見えないものを○、見えるが気にならないものを△、インクの液滴が見えてかつ気になるものを×とした。また、明所１０ｃｍのところから印字部を観察しても、インクの液滴が見えないものを◎とした。
【００４５】
「耐久性」
Ｃａｎｏｎ社製、Ｇｒａｐｈｉｃ  Ｃｏｌｏｒ  Ｐｒｉｎｔｅｒ  Ｗ２２００改造機で、ブラックインクをブラックインク位置、淡ブラックインクをフォトシアン位置に詰めて、所定のパルス数（３×１０８回）印刷を行った。その際、印刷前後で、ブラックインク・淡ブラックインク単色の５０％ｄｕｔｙパッチを印刷した。
【００４６】
ＧｌｅｔａｇＭａｃｂｅｔｈ  Ｓｐｅｃｔｒｏｌｉｎｏを用い、それぞれの印刷前後でのΔＥを算出した。
【００４７】
ブラックインク・淡ブラックインク共にΔＥが５未満のものを○、ブラックインク・淡ブラックインクのうちΔＥの大きいものが５以上１０未満のものを△、１０以上のものを×とした。
【００４８】
評価結果は以下の通りである。
【００４９】
【表１】
2004339335.tif 000004
【００５０】
【発明の効果】
以上のように、少なくとも色材、水溶性有機溶剤、水を含有し、同一色相で色材濃度の異なる少なくとも２種類のインクを含むインクジェット記録用インクセットであり、該インクはｐＨ緩衝剤を含有し、かつ、各インクのｐＨ緩衝剤の含有量が、色材濃度の低いインクほど多くなっていることを特徴とするインクジェット用インクセット、および、それを用いたインクジェット記録装置を用いることで、粒状感の改善及び高い階調性の実現を可能にし、かつ、保存安定性を確保するインクジェット記録用インクセット、および、それを用いたインクジェット記録装置の提供が可能になる。